(57)【要約】【課題】ダミーチャネルの開口部内の接着剤フィレットの状態を最適化し、ダミーチャネルが接着剤によって閉塞されることなく、安定したインク射出を可能とする。【解決手段】チャネルと駆動壁１２とが交互に配置されたチャネル列を有し、前面及び後面にチャネルの開口部１１０が配置されたヘッドチップと、ヘッドチップの後面にチャネル列を覆うように接合される配線基板とを有し、チャネル列は駆動チャネル１１ａとダミーチャネル１１ｂとが交互に配置され、配線基板は、駆動チャネル１１ａの開口部１１０に対応する位置にインク供給用の貫通穴を有し、ヘッドチップの後面に接着剤６によって接合されることでダミーチャネル１１ｂの四角形状の開口部１１０を閉塞するインクジェットヘッドであって、ダミーチャネル１１ｂの開口部１１０における接着剤６によって形成される接着剤フィレット６１を、該開口部１１０の四隅に独立して存在させる。【選択図】図４
2014128940.tif 000002
【特許請求の範囲】
【請求項１】
チャネルと、圧電素子からなる駆動壁とが交互に配置されると共に、前記チャネル内に臨む前記駆動壁の表面に駆動電極が形成されたチャネル列を有し、前面及び後面にそれぞれ前記チャネルの開口部が配置されており、該後面に、前記チャネル内の前記駆動電極とそれぞれ導通する接続電極が形成されてなるヘッドチップと、
前記ヘッドチップの後面に前記チャネル列を覆うように接合されると共に、前記ヘッドチップと接合される側の面に前記接続電極と電気的に接続される配線電極が形成され、前記ヘッドチップの前記駆動電極に前記配線電極を介して電圧を印加するための配線基板とを有し、
前記ヘッドチップのチャネル列は、インク吐出を行う駆動チャネルとインク吐出を行わないダミーチャネルとが交互に配置されており、
前記配線基板は、前記駆動チャネルの開口部に対応する位置にインク供給用の貫通穴をそれぞれ有し、前記ヘッドチップの後面に接着剤によって接合されることによって、前記ダミーチャネルの四角形状の開口部を閉塞しているインクジェットヘッドであって、
前記ダミーチャネルの開口部における前記接着剤によって形成される接着剤フィレットが、該ダミーチャネルの開口部の四隅に独立して存在していることを特徴とするインクジェットヘッド。
【請求項２】
前記ヘッドチップの後面側の周縁と前記配線基板とに亘って接着剤フィレットが形成されていることを特徴とする請求項１記載のインクジェットヘッド。
【請求項３】
チャネルと、圧電素子からなる駆動壁とが交互に配置されると共に、前記チャネル内に臨む前記駆動壁の表面に駆動電極が形成されたチャネル列を有し、前面及び後面にそれぞれ前記チャネルの開口部が配置されており、該後面に、前記チャネル内の前記駆動電極とそれぞれ導通する接続電極が形成されてなるヘッドチップと、
前記ヘッドチップの後面に前記チャネル列を覆うように接合されると共に、前記ヘッドチップと接合される側の面に前記接続電極と電気的に接続される配線電極が形成され、前記ヘッドチップの前記駆動電極に前記配線電極を介して電圧を印加するための配線基板とを有し、
前記ヘッドチップのチャネル列は、インク吐出を行う駆動チャネルとインク吐出を行わないダミーチャネルとが交互に配置されており、
前記配線基板は、前記駆動チャネルの開口部に対応する位置にインク供給用の貫通穴をそれぞれ有し、前記ヘッドチップの後面に接着剤によって接合されることによって、前記ダミーチャネルの四角形状の開口部を閉塞しているインクジェットヘッドの製造方法であって、
前記ヘッドチップと前記配線基板とを前記接着剤を介して貼り合せると共に、前記配線基板の接合面と反対側の前記ダミーチャネルの開口部を密閉した状態で加熱を行い、前記ダミーチャネル内に封入されている気体を膨張させ、該気体の膨張により前記ダミーチャネル内に入り込んだ前記接着剤を該ダミーチャネルの開口部から押し出した状態で硬化させることによって、該開口部内に残留する接着剤による接着剤フィレットを、該開口部の四隅に独立して存在させることを特徴とするインクジェットヘッドの製造方法。
【請求項４】
前記ヘッドチップを弾性部材からなるシール材と前記配線基板との間で挟み込むことにより、前記配線基板の接合面と反対側の前記ダミーチャネルの開口部を密閉した状態で加熱を行うことを特徴とする請求項３記載のインクジェットヘッドの製造方法。
【請求項５】
前記ヘッドチップと前記配線基板とを接着した後に、該ヘッドチップにおける前記配線基板の接合面と反対側の面にノズルプレートを接着することを特徴とする請求項４記載のインクジェットヘッドの製造方法。
【請求項６】
前記接着剤は熱硬化型接着剤であり、該接着剤を加熱硬化させる際の熱によって、前記ダミーチャネル内に封入されている気体を膨張させることを特徴とする請求項３、４又は５記載のインクジェットヘッドの製造方法。
【発明の詳細な説明】
【技術分野】
【０００１】
本発明はインクジェットヘッド及びインクジェットヘッドの製造方法に関し、詳しくは、ダミーチャネルが接着剤によって閉塞されることなく、安定したインク射出を行うことのできるインクジェットヘッド及びそのインクジェットヘッドの製造方法に関する。
【背景技術】
【０００２】
チャネル内のインクを吐出させることによって各種画像の記録を行うインクジェットヘッドとして、せん断モード型のインクジェットヘッドがある。これは、多数並設されるチャネルの間を区画する隔壁を圧電素子によって形成することで駆動壁とし、この駆動壁をせん断変形させ、チャネルの容積変化による圧力を利用してチャネル内のインクをノズルから吐出させるものである。
【０００３】
このようなインクジェットヘッドとして、いわゆるハーモニカ型のヘッドチップを有するものが知られている。このヘッドチップは六面体形状を呈しており、相反する前面と後面とにそれぞれチャネルの開口部が配置されることにより、ストレート状のチャネルを有している。このようなストレート状のチャネル構造は、駆動壁に電圧を印加するための駆動電極がチャネル内に臨んでいて外部に露出しないため、各駆動電極へ電圧印加を行うことが難しい。このため、従来、ヘッドチップの後面側に電極取り出し用の配線基板を接合することにより、この配線基板を利用して各駆動電極をヘッドチップの外部に電気的に引き出し、駆動電極への電圧印加の容易化を図る工夫が採られている。
【０００４】
例えば特許文献１には、複数のチャネル列を有するハーモニカ型のヘッドチップの後面に、チャネル内の駆動電極の端部を露出させて電気的接点を形成しておき、この後面を覆うようにフレキシブルな配線基板を接合することで、この配線基板の表面を利用して各駆動電極をヘッドチップの外部に電気的に引き出すことが開示されている。配線基板には各チャネルに対応する位置のみにそれぞれインク供給用の貫通穴が開設され、配線基板の後面側に接合されるマニホールド内のインクを、この貫通穴を介して各チャネル内に個別に供給できるようにしている。
【先行技術文献】
【特許文献】
【０００５】
【特許文献１】特開２００２−１７８５０９号公報（図１８）
【発明の概要】
【発明が解決しようとする課題】
【０００６】
ところで、インクジェットヘッドには、一つのチャネル列を構成しているチャネルの全てがインク吐出を行う駆動チャネルであるものの他、インク吐出を行う駆動チャネルとインク吐出を行わないダミーチャネル（空気チャネル又は空気室ともいう。）とが交互になるように配置させたものがある。
【０００７】
このダミーチャネルを有するインクジェットヘッドの場合、インク吐出を行わないダミーチャネル内にはインクを流入させる必要がない。むしろ、ダミーチャネル内にインクが流入すると、その両側の駆動壁の動作がインクによって阻害される問題がある。このため、特許文献１記載のようにヘッドチップの後面を覆うように配線基板を接合する際、ダミーチャネルの開口部に対応する位置にはインク供給用の貫通穴は形成せず、開口部を配線基板によって閉塞するようにしている。このとき、ダミーチャネルの開口部は配線基板との間に塗布される接着剤によって完全に封止されることが望まれる。
【０００８】
接着剤によってダミーチャネルの開口部を完全に封止するには、ヘッドチップと配線基板との接着時に、両者間に十分な接着剤を塗布し、配線基板によって覆われるダミーチャネルの開口部の周囲を接着剤によって完全に取り囲む必要がある。
【０００９】
しかし、接着剤の塗布量が少なすぎると、ダミーチャネルの開口部の周囲を接着剤によって完全に取り囲むことができず、接着剤が存在しない箇所が生じてしまう。接着剤が存在しない箇所が隣接する駆動チャネルの開口部まで達していると、駆動チャネルへ供給されるインクがダミーチャネル内に流入してしまい、その両側の駆動壁の動作に影響し、隣接する駆動チャネルからの安定吐出を阻害するおそれがある。一方、接着剤の塗布量が多すぎると、貼り合せ時に余分な接着剤が毛細管力によってダミーチャネル内に入り込んでしまう。
【００１０】
図１３はこのときのヘッドチップ１００と配線基板２００との接着部分を拡大して示す断面図である。図中の下方向がインク吐出方向である。また、図１４はそのときの各開口部の様子を示しており、図１３中の（ｘｉｖ）−（ｘｉｖ）線に沿う断面図である。
【００１１】
これらに示されるように、駆動チャネル１０１には接着剤３００が流れ込むことはない。駆動チャネル１０１の開口部に対応する配線基板２００に、該開口部とほぼ同等の開口面積を持つ貫通穴２０１が形成されているためである。しかし、ダミーチャネル１０２の開口部に対応する位置には貫通穴が形成されていないため、接着剤３００がこの配線基板２００を伝ってダミーチャネル１０２の開口部を被覆するように流れ込み易い。このため、余分な接着剤３００が毛細管力によってダミーチャネル１０２内に入り込んでしまう。このときのダミーチャネル１０２の開口部は、流入した接着剤３００によってほとんど閉塞された状態となり、流入した接着剤３００が駆動壁１０２を伝ってダミーチャネル１０２の奥深くまで浸入して接着剤フィレット３０１を形成する。
【００１２】
この接着剤フィレット３０１は、ダミーチャネル１０２の開口部側の内周面全体に亘って形成される。このため、硬化時に膨張した接着剤フィレット３０１がダミーチャネル１０２の内壁面を外側に押し広げるように作用し、駆動壁１０３にダメージを与え易い。しかも、硬化した接着剤フィレット３０１が駆動壁１０３の動作そのものを阻害する問題もある。
【００１３】
従って、接着剤によってダミーチャネルの開口部の周囲を完全に取り囲むように封止して安定吐出が可能なインクジェットヘッドを安定して製造することが難しい問題があった。
【００１４】
なお、駆動チャネルはインクが供給されるチャネルであるため、必ずしもその開口部の周囲が完全に封止されている必要はない。
【００１５】
また、ヘッドチップとノズルプレートとの接合においては、このような問題はない。なぜなら、ノズルプレートとヘッドチップ前面のノズルプレート貼り付け面ともに電極のような凸凹はなく平面であるため、接着剤塗布量を最小限に抑えてもノズルプレートとヘッドチップの隙間の毛細管力によって優先的に隙間に接着剤が浸透するためである。また、ノズルプレート貼り付け面に存在する保護膜による凸凹やチップ側の加工時の凸凹が存在したとしても、保護膜の剛性は低く、ノズルプレートも一般的には材料が樹脂であり薄いため、凸凹にあわせて変形することができるので、貼り付け後の加圧によって隙間を埋めることができる。
【００１６】
本発明者は、このようなヘッドチップと配線基板との接合時の問題について鋭意検討したところ、ヘッドチップと配線基板との間に塗布される接着剤によってダミーチャネルの開口部の周囲を完全に封止するには、この開口部の周辺に存在する接着剤によって形成される接着剤フィレットが、開口部を完全に閉塞してしまうことはないが、開口部の周縁内に一部入り込んだ状態となっていることが重要であることを見出した。
【００１７】
すなわち、ダミーチャネルの開口部が接着剤フィレットによって完全に閉塞されている場合は、接着剤がダミーチャネル内まで入り込んでしまった状態となっており、上記の通り、駆動壁の動作を阻害してしまう。一方、ダミーチャネルの開口部内に接着剤フィレットが全く存在していない場合は、ダミーチャネルの開口部を取り囲む接着剤が途切れがちとなり、部分的に接着剤が存在しない箇所が発生し易くなる。ダミーチャネルの開口部とこれに隣接する駆動チャネルの開口部との間の距離（駆動壁の厚み分の距離）は極めて近接した細幅状となっており、この間に存在し得る接着剤の量は極めて少ないためである。その結果、駆動チャネル内へ供給されるインクがダミーチャネル内に流入してしまう可能性が高くなる。
【００１８】
具体的には、インクジェットヘッドは、ダミーチャネルの四角形状の開口部内の四隅に接着剤フィレットが存在するが、該四隅の接着剤フィレット同士は互いにつながっていないことが重要であることを見出し、本発明に至った。
【００１９】
そこで、本発明は、ダミーチャネルの開口部内の接着剤フィレットの状態を最適化することにより、ダミーチャネルが接着剤によって閉塞されることなく、安定したインク射出を行うことのできるインクジェットヘッドを提供することを課題とする。
【００２０】
また、本発明は、ダミーチャネルの開口部内の接着剤フィレットの状態を容易に最適化でき、ダミーチャネルが接着剤によって閉塞されることなく、安定したインク射出を行うことのできるインクジェットヘッドの製造方法を提供することを課題とする。
【００２１】
本発明の他の課題は、以下の記載により明らかとなる。
【課題を解決するための手段】
【００２２】
上記課題は、以下の各発明によって解決される。
【００２３】
１．チャネルと、圧電素子からなる駆動壁とが交互に配置されると共に、前記チャネル内に臨む前記駆動壁の表面に駆動電極が形成されたチャネル列を有し、前面及び後面にそれぞれ前記チャネルの開口部が配置されており、該後面に、前記チャネル内の前記駆動電極とそれぞれ導通する接続電極が形成されてなるヘッドチップと、
前記ヘッドチップの後面に前記チャネル列を覆うように接合されると共に、前記ヘッドチップと接合される側の面に前記接続電極と電気的に接続される配線電極が形成され、前記ヘッドチップの前記駆動電極に前記配線電極を介して電圧を印加するための配線基板とを有し、
前記ヘッドチップのチャネル列は、インク吐出を行う駆動チャネルとインク吐出を行わないダミーチャネルとが交互に配置されており、
前記配線基板は、前記駆動チャネルの開口部に対応する位置にインク供給用の貫通穴をそれぞれ有し、前記ヘッドチップの後面に接着剤によって接合されることによって、前記ダミーチャネルの四角形状の開口部を閉塞しているインクジェットヘッドであって、
前記ダミーチャネルの開口部における前記接着剤によって形成される接着剤フィレットが、該ダミーチャネルの開口部の四隅に独立して存在していることを特徴とするインクジェットヘッド。
【００２４】
２．前記ヘッドチップの後面側の周縁と前記配線基板とに亘って接着剤フィレットが形成されていることを特徴とする前記１記載のインクジェットヘッド。
【００２５】
３．チャネルと、圧電素子からなる駆動壁とが交互に配置されると共に、前記チャネル内に臨む前記駆動壁の表面に駆動電極が形成されたチャネル列を有し、前面及び後面にそれぞれ前記チャネルの開口部が配置されており、該後面に、前記チャネル内の前記駆動電極とそれぞれ導通する接続電極が形成されてなるヘッドチップと、
前記ヘッドチップの後面に前記チャネル列を覆うように接合されると共に、前記ヘッドチップと接合される側の面に前記接続電極と電気的に接続される配線電極が形成され、前記ヘッドチップの前記駆動電極に前記配線電極を介して電圧を印加するための配線基板とを有し、
前記ヘッドチップのチャネル列は、インク吐出を行う駆動チャネルとインク吐出を行わないダミーチャネルとが交互に配置されており、
前記配線基板は、前記駆動チャネルの開口部に対応する位置にインク供給用の貫通穴をそれぞれ有し、前記ヘッドチップの後面に接着剤によって接合されることによって、前記ダミーチャネルの四角形状の開口部を閉塞しているインクジェットヘッドの製造方法であって、
前記ヘッドチップと前記配線基板とを前記接着剤を介して貼り合せると共に、前記配線基板の接合面と反対側の前記ダミーチャネルの開口部を密閉した状態で加熱を行い、前記ダミーチャネル内に封入されている気体を膨張させ、該気体の膨張により前記ダミーチャネル内に入り込んだ前記接着剤を該ダミーチャネルの開口部から押し出した状態で硬化させることによって、該開口部内に残留する接着剤による接着剤フィレットを、該開口部の四隅に独立して存在させることを特徴とするインクジェットヘッドの製造方法。
【００２６】
４．前記ヘッドチップを弾性部材からなるシール材と前記配線基板との間で挟み込むことにより、前記配線基板の接合面と反対側の前記ダミーチャネルの開口部を密閉した状態で加熱を行うことを特徴とする前記３記載のインクジェットヘッドの製造方法。
【００２７】
５．前記ヘッドチップと前記配線基板とを接着した後に、該ヘッドチップにおける前記配線基板の接合面と反対側の面にノズルプレートを接着することを特徴とする前記４記載のインクジェットヘッドの製造方法。
【００２８】
６．前記接着剤は熱硬化型接着剤であり、該接着剤を加熱硬化させる際の熱によって、前記ダミーチャネル内に封入されている気体を膨張させることを特徴とする前記３、４又は５記載のインクジェットヘッドの製造方法。
【図面の簡単な説明】
【００２９】
【図１】本発明に係るインクジェットヘッドの一例を示す分解斜視図
【図２】図１に示すインクジェットヘッドのヘッドチップの背面図
【図３】ヘッドチップと配線基板との接着部分を拡大して示す断面図
【図４】図３中の（ｉｖ）−（ｉｖ）線に沿う断面図
【図５】ヘッドチップと配線基板との接合部分の拡大図
【図６】配線基板におけるヘッドチップとの接合面を示す図
【図７】ヘッドチップと配線基板を加圧板で挟持した状態を説明する図
【図８】加圧板で挟持された状態での加熱時の接着剤の様子を説明する図
【図９】ヘッドチップの接続電極の他の態様を説明する図
【図１０】配線基板の配線電極の他の態様を説明する図
【図１１】配線基板の配線電極の更に他の態様を説明する図
【図１２】実施例における開口部の接着剤フィレットの状態を説明する図
【図１３】従来技術に係るヘッドチップと配線基板との接着部分を拡大して示す断面図
【図１４】図１３中の（ｘｉｖ）−（ｘｉｖ）線に沿う断面図
【発明を実施するための形態】
【００３０】
以下、本発明の実施の形態について図面を用いて説明する。
【００３１】
（インクジェットヘッド）
図１は、本発明に係るインクジェットヘッドの一例を示す分解斜視図、図２は、図１に示すインクジェットヘッドのヘッドチップの背面図である。
【００３２】
図中、Ｈはインクジェットヘッド、１はヘッドチップ、２はノズルプレート、３は配線基板、４はマニホールドである。
【００３３】
ヘッドチップ１は、前面１ａ及び後面１ｂと、これら前面１ａ及び後面１ｂに挟まれた上下左右の４つの側面とを有する六面体からなる。このうち相反する位置にある前面１ａと後面１ｂとにかけて、ストレート状のインク流路である多数のチャネル１１が形成されている。隣接するチャネル１１の間を区画する隔壁は圧電素子によって形成された駆動壁１２であり、多数のチャネル１１と駆動壁１２とが交互に配置されることによって１列のチャネル列を構成している。ここでは４列のチャネル列１０Ａ〜１０Ｄを有しており、これらが図１における上下方向に並設されている。
【００３４】
なお、本発明において、ヘッドチップ１の「前面」とは、ノズルが配置されてインクが吐出される側の面をいい、「後面」とは、その反対側の面をいうものとする。
【００３５】
各チャネル列１０Ａ〜１０Ｄのチャネル１１は、インクが供給されてインク吐出を行う駆動チャネル１１ａと、インクが供給されずインク吐出を行わないダミーチャネル１１ｂとからなり、各チャネル列１０Ａ〜１０Ｄは、それぞれ駆動チャネル１１ａとダミーチャネル１１ｂとが交互に配置されている。
【００３６】
このヘッドチップ１はせん断モード型のヘッドチップであり、各チャネル１１ａ、１１ｂの前面１ａ側の開口部がインクの出口、後面１ｂ側の開口部１１０がインクの入口とされている。以下、単にチャネルの開口部というとき、後面１ｂ側に開口するインクの入口となる開口部１１０のことを指す。
【００３７】
各チャネル列１０Ａ〜１０Ｄの各チャネル１１ａ、１１ｂは、それぞれ圧電素子基板の表面からダイシングブレードによって所定深さとなるストレート状の溝を研削加工し、その上面をカバー基板によって覆うことによって形成されている。このため、後面１ｂに開口している各チャネル１１ａ、１１ｂの開口部１１０は四角形状となっている。
【００３８】
各チャネル１１ａ、１１ｂの内部に臨む駆動壁１２の表面には、該駆動壁１２を変形駆動させるための電圧印加用の駆動電極１３（図３参照）が、スパッタ、蒸着又は無電解めっき等によって密着形成されている。そして、ヘッドチップ１の後面１ｂには、各チャネル１１ａ、１１ｂの開口部１１０を介して駆動電極１３と導通する接続電極１４が、スパッタ、蒸着又は無電解めっき等によって、各チャネル１１ａ、１１ｂ毎に個別に形成されている。
【００３９】
各接続電極１４において、２列のチャネル列１０Ａ、１０Ｂの各チャネル１１ａ、１１ｂの接続電極１４は、各チャネル１１ａ、１１ｂの開口部１１０からチャネル列１０Ａに近接する側縁ｅ１に向けて形成され、他の２列のチャネル列１０Ｃ、１０Ｄの各チャネル１１ａ、１１ｂの接続電極１４は、各チャネル１１ａ、１１ｂの開口部１１０からチャネル列１０Ｄに近接する側縁ｅ２に向けて形成されている。チャネル列１０Ｂ、１０Ｃの各接続電極１４は、それぞれ隣接するチャネル列１０Ａ、１０Ｄの手前で止まっている。
【００４０】
ヘッドチップ１の前面１ａには、ノズルプレート２が接着されている。ノズルプレート２には、駆動チャネル１１ａに対応する位置のみにノズル２１が貫通形成されている。
【００４１】
ヘッドチップ１の後面１ｂには、配線基板３が接着されている。配線基板３は、ヘッドチップ１の後面１ｂの面積よりも大きな面積を有しており、ヘッドチップ１の後面１ｂに接着された状態で、チャネル列方向と直交する方向に配置される両端部３ａ、３ｂが該ヘッドチップ１よりもはみ出して、側方（図示上下方向）に大きく張り出すようになっている。
【００４２】
配線基板３には、ヘッドチップ１の駆動チャネル１１ａに対応する位置のみに、該配線基板３の背面側に接合されるマニホールド４内に貯留されたインクを各駆動チャネル１１ａに供給するための貫通穴３１がそれぞれ個別に開設されている。貫通穴３１は駆動チャネル１１ａの開口部１１０と同様に四角形状であり、ヘッドチップ１と対向する表面側は、該開口部１１０と同程度の開口面積を有している。一方、配線基板３におけるダミーチャネル１１ｂに対応する部位には貫通穴が形成されていない。このため、ダミーチャネル１１ｂの開口部１１０は、配線基板３によって閉塞されている。
【００４３】
配線基板３のヘッドチップ１との接合面となる表面には、ヘッドチップ１の後面１ｂに配列されている各接続電極１４に１対１に対応するように、配線電極３２がスパッタ、蒸着又は無電解めっき等によって形成されている。各配線電極３２の一端は、ヘッドチップ１と配線基板３とが接着された状態で、それぞれ対応する駆動チャネル１１ａ及びダミーチャネル１１ｂの開口部１１０の近傍に達していると共に、他端は、ヘッドチップ１の側方へ張り出した配線基板３の各端部３ａ、３ｂに向けてそれぞれ延びている。
【００４４】
配線電極３２の他端は隣接する２列のチャネル列毎に端部３ａと３ｂとに振り分けられている。すなわち、チャネル列１０Ａ、１０Ｂに対応する配線電極３２の他端は図示上側の端部３ａに向けて延びており、チャネル列１０Ｃ、１０Ｄに対応する配線電極３２の他端は図示下側の端部３ｂに向けて延びている。
【００４５】
内側の２列のチャネル列１０Ｂ、１０Ｃに対応する各配線電極３２は、それぞれ外側のチャネル列１０Ａ、１０Ｄに対応する各配線電極３２の間を通って各端部３ａ、３ｂまで達するように配線されている。詳しくは、外側のチャネル列１０Ａ、１０Ｄに対応する隣接する貫通穴３１、３１の間に、内側のチャネル列１０Ｂ、１０Ｃに対応する２本の配線電極３２が通って配線基板３の端部３ａ、３ｂまで延びている。これにより配線電極３２を高密度に配線することができる。
【００４６】
配線基板３の各端部３ａ、３ｂには、それぞれＦＰＣ等の外部配線部材５、５（図１参照）が接合され、不図示の駆動回路との間を電気的に接続している。これにより、駆動回路からの駆動信号（駆動電圧）が、外部配線部材５、５、配線基板３の配線電極３２、ヘッドチップ１の接続電極１４を介して、各チャネル１１ａ、１１ｂ内の駆動電極１３に印加されるようになっている。
【００４７】
配線基板３の材質は、例えばガラス、セラミックス、シリコン、プラスチック等の適宜の絶縁材料を用いることができる。中でも適度に剛性を備え、安価で加工も容易である点でガラス製とすることが好ましい。ガラス製の配線基板３は、貫通穴３１をブラスト加工することによって高精度に形成することができる。また、透明なガラス板を使用することで、配線基板３の背面側から配線電極３２やヘッドチップ１の接続電極１４を透視することができ、配線電極３２と接続電極１４との位置合わせも容易である。
【００４８】
ヘッドチップ１と配線基板３との接合は、配線基板３に接着剤を塗布した後、ヘッドチップ１を位置合わせして貼り合せることによって行うことができる。接着剤には一般に熱硬化型の導電性接着剤が使用される。接着剤塗布後にヘッドチップ１と配線基板３とを位置決めして貼り合せることによって、ヘッドチップ１の各接続電極１４と配線基板３の各配線電極３２とが１対１に対応して電気的に接続される。そして、このとき塗布された硬化前の接着剤は、ヘッドチップ１と配線基板３との間で毛細管力によって流動し、その一部がダミーチャネル１１ｂ内にも入り込むことによってダミーチャネル１１ｂの開口部１１０に接着剤フィレットを形成する。
【００４９】
図３、図４はこの接着剤フィレットの様子を説明する図であり、図３はヘッドチップ１と配線基板３との接着部分を拡大して示す断面図である。図中の下方向がインク吐出方向である。また、図４は、そのときの各開口部１１０の様子を示す図３中の（ｉｖ）−（ｉｖ）線に沿う断面図である。
【００５０】
これらに示すように、ヘッドチップ１と配線基板３とを貼り合せた際に両者間に存在する接着剤６は、硬化前の低粘度状態にあるときに毛細管力によって配線基板３の表面を伝ってダミーチャネル１１ｂ内にも一部入り込むが、このときダミーチャネル１１ｂの開口部１１０の周縁に形成される接着剤フィレット６１は、ダミーチャネル１１ｂの開口部１１０を閉塞してしまうことなく、その開口部１１０の四隅にそれぞれ独立して存在している。
【００５１】
ここで、接着剤フィレット６１が独立して存在するとは、図４に示すように、ヘッドチップ１の後面１ｂから開口部１１０を観察した場合、四角形状の開口部１１０の四隅にそれぞれ接着剤フィレット６１が存在するが、四隅の各接着剤フィレット６１同士が開口部１１０の周縁で互いにつながっていないことを意味する。従って、隣接する接着剤フィレット６１の間には、接着剤フィレットが形成されない領域Ｓがそれぞれ存在している。
【００５２】
このように開口部１１０の四隅に独立して接着剤フィレット６１が存在する状態であれば、各接着剤フィレット６１はダミーチャネル１１ｂの内部まで一部入り込んではいるものの、その量は極く僅かであるため、図３に示すようにダミーチャネル１１ｂの開口部１１０から僅かに入り込む程度にとどまり、図１０に示したように奥深くまで入り込んでしまうようなことはない。従って、硬化した接着剤フィレット６１が駆動壁１２の動作に大きな影響を及ぼすこともなく、安定吐出を阻害するようなことはない。また、接着剤フィレット６１は四隅に独立して存在しているだけであるため、硬化時に膨張した接着剤フィレット６１が駆動壁１２を外側に押し広げるように作用することはほとんどなくなり、駆動壁１２にダメージを与えるおそれはない。
【００５３】
しかも、このようにダミーチャネル１１ｂの開口部１１０の四隅に接着剤フィレット６１が形成される状態では、ヘッドチップ１の後面１ｂにおいてダミーチャネル１１ｂの開口部１１０の周囲にも、該開口部１１０を取り囲むのに十分な接着剤６が存在する状態となっている。このため、図４で示すように、ダミーチャネル１１ｂの開口部１１０の周囲は十分な接着剤６によって取り囲まれて完全に封止される。従って、隣接する駆動チャネル１１ａに供給されるインクがダミーチャネル１１ｂに流れ込むような事態は発生しない。
【００５４】
このような接着剤フィレット６１は、ヘッドチップ１に形成されている全てのダミーチャネル１１ｂの開口部１１０において同様に形成される。駆動チャネル１１ａは配線基板３に貫通穴３１が形成されているため、この貫通穴３１よりも内側に毛細管力によって接着剤６が流れ込むことがなく、上記のような接着剤フィレット６１が形成されることはない。
【００５５】
本発明に係るインクジェットヘッドにおいては、図５に示すように、ヘッドチップ１と配線基板３との間に塗布された接着剤６よって、ヘッドチップ１の後面１ｂ側の周縁１ｃと配線基板３とに亘る部位にも接着剤フィレット６２が形成されていることが好ましい。この接着剤フィレット６２の存在によって、ヘッドチップ１と配線基板３との接着強度を向上させることができる。
【００５６】
（インクジェットヘッドの製造方法）
以下、上記のインクジェットヘッドＨの好ましい製造方法について、図６〜図８を用いて説明する。
【００５７】
図６は、配線基板３におけるヘッドチップ１との接合面を示している。まず、同図に示すように、貫通穴３１及び各配線電極３２が形成された配線基板３に対し、ヘッドチップ１の各接続電極１４と配線電極３２とが重なり合う部分に亘って帯状となるように接着剤６を塗布し、その後、ヘッドチップ１を位置決めして貼り合せる。
【００５８】
次いで、ヘッドチップ１における配線基板３との接合面と反対側に位置する前面１ａに開口するダミーチャネル１１ｂの開口部を密閉する。
【００５９】
図７は、この密閉状態を形成する際に好ましい方法を示す断面図である。貼り合わされたヘッドチップ１と配線基板３は、上下一対の加圧板７ａ、７ｂの間に装着され、両加圧板７ａ、７ｂ間で挟持することにより所定の圧力をかける。これにより、帯状に塗布された接着剤６は毛細管力によってヘッドチップ１と配線基板３との間を流動していく。このとき、ダミーチャネル１１ｂの開口部１１０に到達した接着剤６は、図８のように一部が開口部１１０からダミーチャネル１１ｂの内部に入り込む。
【００６０】
両加圧板７ａ、７ｂのうち、ヘッドチップ１の前面１ａ側に配置される加圧板７ａの表面には、弾性材料からなるシート状のシール材８が設けられており、このシール材８がヘッドチップ１の前面１ａと当接するようになっている。弾性材料としては一般にはゴムを用いることができ、中でもシリコンゴムが好ましい。
【００６１】
このシール材８を設ける理由は次の通りである。一般にヘッドチップ１は、ダイシングブレード等によってセラミックスをフルカットすることによって作製されるため、フルカット面（前面１ａ及び後面１ｂ）に切断時の痕跡が微細な凹凸状となって残っていることがある。この状態では、平板状の加圧板７ａのみではダミーチャネル１１ｂを密閉し難いものとなる。この問題はフルカット面を研摩することによって改善されるが、本実施形態に示すように弾性材料からなるシール材８を間に挟むことによって、ヘッドチップ１の前面１ａが凹凸状となっていても、わざわざ研摩作業を行うことなくヘッドチップ１の前面１ａの開口部を効果的に密閉することができる。
【００６２】
配線基板３側のダミーチャネル１１ｂの開口部１１０は、その周囲に流れ込んだ接着剤６によって密閉状態にある。このため、この配線基板３側の加圧板７ｂには必ずしもシール材８を設ける必要はない。ヘッドチップ１のダミーチャネル１１ｂは、加圧板７ａのシール材８と配線基板３との間で密閉され、内部に気体（空気）が封入された状態となる。
【００６３】
次いで、この状態でヘッドチップ１と配線基板３を加熱することにより、ダミーチャネル１１ｂ内に封入されている気体を膨張させる。
【００６４】
この加熱は、接着剤６が熱硬化型の接着剤である場合は加熱硬化時の熱を利用することができる。接着剤６が熱硬化型でない場合は、加圧板７ａ、７ｂで挟持された状態でオーブン等の適宜の加熱手段によって加熱すればよい。ここでは接着剤６が熱硬化型であり、加熱硬化時の熱を利用して上記の加熱を行う場合について説明する。
【００６５】
ヘッドチップ１の加熱によってダミーチャネル１１ｂ内の気体が膨張すると、図８に示すように、この気体の膨張によってダミーチャネル１１ｂ内に入り込んだ接着剤６は、該ダミーチャネル１１ｂの開口部１１０から、ヘッドチップ１の後面１ｂと配線基板３との間に押し出される。そして、この状態で接着剤６を硬化させることによって、図３、図４に示したように、ダミーチャネル１１ｂの開口部１１０内に残留する接着剤６による接着剤フィレット６１を、該開口部１１０の四隅に独立して存在させる。これにより、接着剤６によってダミーチャネル１１ｂの開口部１１０の周囲を取り囲んで封止する図３、図４の状態を容易に作り出すことができる。
【００６６】
また、最初に塗布される接着剤６を十分な量で塗布しても、ダミーチャネル１１ｂが接着剤６によって閉塞されてしまうことが避けられる。このため、同時にヘッドチップ１の後面１ｂ側の周縁と配線基板３とに亘って、図５に示すように十分な接着剤フィレット６２を形成することができる。これにより、ヘッドチップ１と配線基板３との接合状態が強固に維持されたインクジェットヘッドＨとすることが容易に可能である。
【００６７】
ダミーチャネル１１ｂの開口部１１０の四隅に図３、図４のように接着剤フィレット６１を独立して存在させるには、ダミーチャネル１１ｂ内に封入されている気体の膨張度合が重要である。気体の膨張が足りないと、接着剤フィレット６１を開口部１１０の四隅に独立させることが難しい。また、膨張させすぎると、接着剤６を押し出しすぎてしまい、ダミーチャネル１１ｂの開口部１１０の周囲に部分的に接着剤６が途切れる箇所が発生し易くなる。このため接着剤フィレット６１が開口部１１０の四隅に独立して存在し得る程度に、ダミーチャネル１１ｂ内の気体を適度に膨張させる必要がある。この気体の膨張度合は、ダミーチャネル１１ｂのサイズ（容積）に応じて加熱時の温度や加熱時間を適切に制御することによって可能である。
【００６８】
気体を膨張させる際の加熱温度や加熱時間は、接着剤硬化温度にする前にダミーチャネル１１ｂ内の空気を適切に膨張させる必要があり、接着剤６の粘度を上昇させすぎず、流動状態を維持し得ると共に、ある程度の流動の後は流動しないレベルとなる程度の温度及び時間である必要がある。具体的な温度や時間は、使用される接着剤６の種類（硬化温度、粘度）、ダミーチャネル１１ｂの容積、ヘッドチップ１の大きさや熱伝導率等に応じて適宜調整される。
【００６９】
このようにしてヘッドチップ１と配線基板３とを接合した後、ヘッドチップ１の前面１ａにノズルプレート２を接合すると共に、配線基板３の背面側にマニホールド４を接合し、更に、配線基板３の両端部３ａ、３ｂにそれぞれ外部配線部材５、５を接合することによってインクジェットヘッドＨが完成する。
【００７０】
なお、駆動電極１３の表面にパリレン膜等の保護膜を被覆形成する場合は、このようにヘッドチップ１と配線基板３とを接合した後、ノズルプレート２を接合する前に施工することができる。保護膜を形成する必要がない場合は、ノズルプレート２を接合後のヘッドチップ１と配線基板３とを接合するようにしてもよい。この場合、ヘッドチップ１の前面１ａ側のダミーチャネル１１ｂの開口部はノズルプレート２によって密閉されるため、シール材８は必ずしも設けなくてもよい。
【００７１】
（インクジェットヘッドのその他の態様）
以上説明したインクジェットヘッドＨのヘッドチップ１に形成した接続電極１４は、開口部１１０の一辺のみから引き出されるように形成したが、図９は、ダミーチャネル１１ｂの接続電極１４を、開口部１１０を取り囲むように形成した態様を示している。
【００７２】
一般に金属表面は接着剤の濡れ性が良いため、このようにダミーチャネル１１ｂの接続電極１４を開口部１１０を取り囲むように形成することによって、接着剤が開口部１１０を取り囲み易くなるように接着剤の流動をコントロールすることができる。従って、ダミーチャネル１１ｂの開口部１１０の封止をより確実にすることができる。
【００７３】
なお、このように開口部１１０を取り囲む接続電極１４を駆動チャネル１１ａにも適用することに何ら制限はない。
【００７４】
図１０は、配線基板３の配線電極３２のパターンの他の態様を示している。ここでは配線基板３の一方の端部３ｂ側の２列のチャネル列に対応する一部のみを示している。
【００７５】
この態様では、配線基板３に形成された配線電極３２のうち、ダミーチャネル１１ｂの接続電極１４と電気的に接続される配線電極３２の一端に、ダミーチャネル１１ｂの開口部１１０を覆うことができるように、該開口部１１０よりも若干大きな面積を有する金属膜からなる被覆部３２ａを一体に形成している。従って、この配線基板３がヘッドチップ１と接合された際、この被覆部３２ａの部位は、対応するダミーチャネル１１ｂの開口部１１０を覆うように配置される。これにより、上記と同様に、接着剤が開口部１１０を取り囲み易くなるように接着剤の流動をコントロールすることができる。従って、ダミーチャネル１１ｂの開口部１１０の封止をより確実にすることができる。
【００７６】
このように接着剤が開口部１１０を取り囲み易くする手段として、図１０に示す態様の他、図１１に示すように、四角い枠状の囲み部３２ｂを配線電極３２の一端に形成するようにしてもよい。囲み部３２ｂは、ダミーチャネル１１ｂの開口部１１０に対応する領域に、該開口部１１０と同程度の大きさで金属膜が形成されていない領域ａが形成されている。従って、囲み部３２ｂは開口部１１０の周囲を取り囲むように四角く形成されている。これにより、上記と同様に、接着剤が開口部１１０を取り囲み易くすることができるが、開口部１１０に対応する領域ａは金属膜が形成されていないため、接着剤が開口部１１０へ過度に入り込むようなことがない。
【００７７】
以上のインクジェットヘッドＨは、ヘッドチップ１が４列のチャネル列１０Ａ〜１０Ｄを備えるものとして説明したが、本発明においてヘッドチップ１のチャネル列数は特に問わない。１列のみであってもよく、また２列、３列、更には５列以上の複数列であってもよい。
【００７８】
（インクジェットヘッドの製造方法のその他の態様）
以上説明したインクジェットヘッドの製造方法は、接着剤フィレット６１をダミーチャネル１１ｂの開口部１１０の四隅に独立して存在する状態を容易に形成することができる最も好ましい態様を例示したが、その他の製造方法として、例えば接着剤６を転写法によって塗布量を適切に制御しながら、ヘッドチップ１の後面１ｂと配線基板３の表面の両方又はいずれか一方の必要箇所に所定パターンとなるように形成する方法等が挙げられる。
【００７９】
また、インクジェットヘッドの製造方法において、加圧板７ａにシール材８を設ける態様に代えて、加圧板７ａ自体を弾性材料によって形成してもよい。これによりシール材８を不要にすることができる。
【実施例】
【００８０】
以下、実施例によって本発明の効果を例証する。
【００８１】
ヘッドチップは、駆動壁材料としてＰＺＴを用いてせん断モード型のヘッドチップを作製した。ヘッドチップは両端面（前面及び後面）をフルカットすることによって切り出した。切り出したヘッドチップの端面は特に研摩作業しなかった。ヘッドチップの後面に、図２と同様にして接続電極を形成した。
【００８２】
ヘッドチップの仕様は以下の通りである。
チャネル列数：４
１列のチャネル数：５１２
ダミーチャネルのサイズ：深さ３６０μｍ×幅８２μｍ×Ｌ長３．０ｍｍ
【００８３】
配線基板は、ガラス製基板に、ヘッドチップの駆動チャネルに対応する位置のみに貫通穴をブラスト加工によって形成すると共に、図１に示した配線基板と同様にして、ヘッドチップの接続電極に対応する配線電極を形成した。
【００８４】
このヘッドチップと配線基板とを、熱硬化型接着剤（EPOTEK社製353ND 、最終硬化温度：１００℃）を介して貼り合せた。接着剤は図６と同様に配線基板側に帯状に塗布した。
【００８５】
同様にヘッドチップと配線基板を作製して貼り合せた試料を計４つ用意し、金属板（ＳＵＳ）からなる一対の加圧板間に挟持して、それぞれ表１に示す条件で加熱硬化を行った。それぞれについて、ダミーチャネルの開口部の接着剤フィレットの状態、ダミーチャネル内へのインクのリークの有無、射出試験を評価し、その結果を表１に示す。
【００８６】
なお、シール材は試料３、４のみ加圧板とヘッドチップとの間に介在させた。また、試料１、３については、初期硬化温度として低めの６０℃に設定して加熱を行った後、最終硬化温度の１００℃まで昇温することにより硬化を行い、試料２、３については、最初から最終硬化温度の１００℃まで昇温することにより硬化を行った。
【００８７】
フィレット状態は、透明なガラス製の配線基板を通してヘッドチップの後面側を顕微鏡観察することにより評価した。フィレット状態は図１２に示すように、（ア）開口部の内側全体に亘って接着剤フィレットが形成されることによりほぼ閉塞された状態、（イ）接着剤フィレットが開口部の四隅に独立して存在する本発明の状態、（ウ）接着剤フィレットが開口部に全く存在しない状態で評価した。
【００８８】
リーク検査は、ノズルプレート、ヘッドチップ及び配線基板を接合した一体物をインク中に０．１ｋＰａの低圧状態で２０分間浸漬した後引き上げ、大気圧下でダミーチャネル内にインクが浸入したか否かを確認することにより行った。インクの浸入の有無は、顕微鏡による目視検査によって確認した。全てのダミーチャネルにインクの浸入が全くない場合は○、１つでもインクの浸入があれば×とした。
【００８９】
射出試験は、それぞれインクジェットヘッドを完成させた後、駆動チャネルから実際にインク吐出を行い、その液滴速度を測定することにより評価した。ダミーチャネル内に一定以上の接着剤が入り込んでいる場合は、硬化した接着剤によってその両側の駆動壁の動作が阻害され、駆動チャネルから吐出される液滴速度は低下する。全ての駆動チャネルから吐出される液滴速度の平均速度に対して、液滴速度の低下が１０％未満であれば○とし、１０％以上低下している駆動チャネルが１つでもあり、その駆動チャネルの速度低下がダミーチャネルに接着剤もしくはインクが入りこんだことが原因である場合は×とした。
【表１】
2014128940.tif 000003
【００９０】
その結果、試料３では、フィレット状態は開口部の四隅に独立しており、リーク検査、射出試験共に良好であった。
【００９１】
試料１は、フィレットを開口部の四隅に独立させることができず、射出試験も悪くなった。これは、ヘッドチップの端面には何ら研摩加工を施しておらず、表面が微細な凹凸状のままであることから、加熱時にダミーチャネル内で膨張した気体が、ヘッドチップと加圧板との間から漏れ出てしまい、ダミーチャネル内に入り込んだ接着剤の押し出しが不十分となったためと考えられる。
【００９２】
また、試料２は試料１と同様にシール材がない場合であるが、単に加熱温度を高くしても、ダミーチャネル内に入り込んだ接着剤の押し出しは不十分であり、フィレット状態及び射出試験は試料１と同様であった。
【００９３】
試料４では、インクのリークが発生し、ダミーチャネル内にインクが入り込んでしまうことにより、射出試験の結果も悪くなった。これは、シール材の存在によって加圧板で挟持する際のダミーチャネルの密閉状態は良好となるものの、加熱温度が高すぎて膨張した気体によってダミーチャネル内の接着剤を押し出しすぎてしまい、ダミーチャネルの開口部の周囲の接着剤が部分的に途切れ、開口部を完全に取り囲むことができなかったためと考えられる。
【符号の説明】
【００９４】
Ｈインクジェットヘッド
１：ヘッドチップ
１ａ：前面
１ｂ：後面
１０Ａ〜１０Ｄ：チャネル列
１１：チャネル
１１ａ：駆動チャネル
１１ｂ：ダミーチャネル
１１０：開口部
１２：駆動壁
１３：駆動電極
１４：接続電極
ｅ１、ｅ２：側縁
２：ノズルプレート
２１：ノズル
３：配線基板
３ａ、３ｂ：端部
３１：貫通穴
３２：配線電極
４：マニホールド
５：外部配線部材
６：接着剤
６１、６２：接着剤フィレット
７ａ、７ｂ：加圧板
８：シール材
【図１】
2014128940.tif 000004
【図２】
2014128940.tif 000005
【図３】
2014128940.tif 000006
【図４】
2014128940.tif 000007
【図５】
2014128940.tif 000008
【図６】
2014128940.tif 000009
【図７】
2014128940.tif 000010
【図８】
2014128940.tif 000011
【図９】
2014128940.tif 000012
【図１０】
2014128940.tif 000013
【図１１】
2014128940.tif 000014
【図１２】
2014128940.tif 000015
【図１３】
2014128940.tif 000016
【図１４】
2014128940.tif 000017